(57)【特許請求の範囲】
【請求項１】
天板の右端部に、幅方向に間隔をおいた一対の右支柱の上端部がそれぞれ連結されており、両右支柱に、複数の右踏さんが多段に渡し止められており、天板の左端部に、幅方向に間隔をおいた一対の左支柱の上端部がそれぞれ連結されており、両左支柱に、複数の左踏さんが多段に渡し止められており、両右支柱は、天板の底面に重なるようにそれぞれ折り畳み可能であり、両左支柱は、折り畳まれた両右支柱の下向き側面に重なるように折り畳み可能であり、
両右支柱の開き角度を規制するための右開き止め金具が、右天板側ロッドおよび右支柱側ロッドによって構成されており、両右支柱の折り畳みに際し、右天板側ロッドおよび右支柱側ロッドが２つ折りとなるように右天板側ロッドおよび右支柱側ロッドの対応する一端部同士が連結されるとともに、右天板側ロッドの他端部が天板の右端部から左端部寄りのところに、右支柱側ロッドの他端部が第２段目の右踏さんにそれぞれ連結されており、
右天板側ロッドが、真っ直ぐのびた横断面コ字状の右天板側ロッド本体よりなり、右支柱側ロッドが、真っ直ぐのびた横断面コ字状の右支柱側ロッド本体よりなり、右天板側ロッド本体および右支柱側ロッド本体は、開口同士を向き合わせて、双方が２つ折りとなった際に、右天板側ロッド本体が右支柱側ロッド本体の両側壁間に収容されるようになっており、
両左支柱の開き角度を規制するための左開き止め金具が、左天板側ロッドおよび左支柱側ロッドによって構成されており、両左支柱の折り畳みに際し、左天板側ロッドおよび左支柱側ロッドが２つ折りとなるように左天板側ロッドおよび左支柱側ロッドの対応する一端部同士が連結されるとともに、左天板側ロッドの他端部が天板の左端部から右端部寄りのところに、左支柱側ロッドの他端部が第２段目の左踏さんにそれぞれ連結されており、
両左支柱が折り畳まれた状態で、２つ折りの左天板側ロッドおよび左支柱側ロッドの相対する両縁部間に、最下段の右踏さんとの干渉を避けるための間隙が形成されうるようになされており、
左天板側ロッドが、真っ直ぐのびた横断面コ字状の左天板側ロッド本体と、左天板側ロッド本体の両側壁の一端部から左支柱側ロッド側に突出させられた左天板側ロッド耳とよりなり、左支柱側ロッドが、真っ直ぐのびた横断面コ字状の左支柱側ロッド本体と、左支柱側ロッド本体の両側壁の一端部から左天板側ロッド側に突出させられた左支柱側ロッド耳とよりなり、左天板側ロッド耳および左支柱側ロッド耳の先端部同士が連結されており、
左天板側ロッド本体の両側壁および左支柱側ロッド本体の両側壁には、最下段の右踏さんとの干渉を避けるための間隙を形成するための両縁部の少なくともいずれか一方に、最下段の右踏さんを入り込ませうる切欠が形成されている作業台。
【発明の詳細な説明】
【技術分野】
【０００１】
この発明は、建築等の作業現場において高所作業に用いられる作業台、詳しくは、アルミニウム合金製可搬式作業台に関する。
【背景技術】
【０００２】
この種の作業台としては、天板の右端部に、幅方向に間隔をおいた一対の右支柱の上端部がそれぞれ連結されており、両右支柱に、複数の右踏さんが多段に渡し止められており、天板の左端部に、幅方向に間隔をおいた一対の左支柱の上端部がそれぞれ連結されており、両左支柱に、複数の左踏さんが多段に渡し止められており、両右支柱は、天板の底面に重なるようにそれぞれ折り畳み可能であり、両左支柱は、折り畳まれた両右支柱の下向き側面に重なるように折り畳み可能であり、左支柱の開き角度を規制するための開き止め金具が、天板側ロッドおよび支柱側ロッドによって構成されており、左支柱の折り畳みに際し、天板側ロッドおよび支柱側ロッドが２つ折りとなるように天板側ロッドおよび支柱側ロッドの対応する一端部同士が連結されるとともに、天板側ロッドの他端部が天板の左端部から右端部寄りのところに、支柱側ロッドの他端部が最上段目の左踏さんに連結されているものが知られている。
【０００３】
開き止め金具の全長は、長けれど長いほど、支柱を開いた状態を安定姿勢に保持することができる。
【０００４】
上記作業台において、支柱側ロッドの他端部は、最上段目の左踏さんに連結されており、開き止め金具の全長を長くするには限界があった。支柱側ロッドの他端部を、最上段目の踏さんではなくて、第２段目の左踏さんに連結し、開き止め金具の全長を長くすることも考えられるが、そうすると、左支柱の折り畳みに際し、２つ折りの天板側ロッドおよび支柱側ロッドが最下段の右踏さんを挟んでしまい、両左支柱を、折り畳まれた両右支柱の下向き側面に重なるまで完全に折り畳むことができなかった。
【発明の概要】
【発明が解決しようとする課題】
【０００５】
この発明の目的は、開き止め金具の全長を長くすることができ、しかも、支柱を完全に折り畳むことのできる作業台を提供することにある。
【課題を解決するための手段】
【０００６】
この発明による作業台は、天板の右端部に、幅方向に間隔をおいた一対の右支柱の上端部がそれぞれ連結されており、両右支柱に、複数の右踏さんが多段に渡し止められており、天板の左端部に、幅方向に間隔をおいた一対の左支柱の上端部がそれぞれ連結されており、両左支柱に、複数の左踏さんが多段に渡し止められており、両右支柱は、天板の底面に重なるようにそれぞれ折り畳み可能であり、両左支柱は、折り畳まれた両右支柱の下向き側面に重なるように折り畳み可能であり、両左支柱の開き角度を規制するための開き止め金具が、天板側ロッドおよび支柱側ロッドによって構成されており、両左支柱の折り畳みに際し、天板側ロッドおよび支柱側ロッドが２つ折りとなるように両ロッドの対応する一端部同士が連結されるとともに、天板側ロッドの他端部が天板の左端部から右端部寄りのところに、支柱側ロッドの他端部が第２段目の左踏さんにそれぞれ連結されており、両左支柱が折り畳まれた状態で、２つ折りの天板側ロッドおよび支柱側ロッドの相対する両縁部間に、最下段の右踏さんとの干渉を避けうる間隙が形成されうるようになされているものである。
【０００７】
この発明による作業台では、両左支柱が折り畳まれた状態で、２つ折りの天板側ロッドおよび支柱側ロッドの相対する両縁部間形成された間隙によって、天板側ロッドおよび支柱側ロッドと、最下段の右踏さんとの干渉を避けることができる。したがって、開き止め金具の全長を長くすることができ、しかも、支柱を完全に折り畳むことができる。
【０００８】
さらに、天板側ロッドが、真っ直ぐのびた天板側ロッド本体と、天板側ロッド本体の一端部から支柱側ロッド側に突出させられた天板側ロッド耳とよりなり、支柱側ロッドが、真っ直ぐのびた支柱側ロッド本体と、支柱側ロッド本体の一端部から天板側ロッド側に突出させられた支柱側ロッド耳とよりなり、天板側ロッド耳および支柱側ロッド耳同士が連結されていると、天板側ロッドおよび支柱側ロッドを複雑な形状に構成すること無く、シンプルな構成によって、最下段の右踏さんとの干渉を避けるための間隙を形成することができる。
【０００９】
また、天板側ロッド本体および支柱側ロッド本体の、最下段の右踏さんとの干渉を避けうる間隙を形成するための両縁部の少なくともいずれか一方に、最下段の右踏さんを入り込ませうる切欠が形成されていると、最下段の右踏さんとの干渉を避けるための間隙を可及的に狭めることが可能となる。
【発明の効果】
【００１０】
この発明によれば、開き止め金具の全長を長くすることができ、しかも、支柱を完全に折り畳むことのできる作業台が提供される。
【図面の簡単な説明】
【００１１】
【図１】この発明による作業台の正面図である。
【図２】同側面図である。
【図３】同作業台の右開き止め金具の正面図である。
【図４】同右開き止め金具を折り畳んだ状態の正面図である。
【図５】同作業台の左開き止め金具の正面図である。
【図６】同左開き止め金具を折り畳んだ状態の正面図である。
【図７】同作業台の左右の支柱を折り畳んだ状態の正面図である。
【発明を実施するための形態】
【００１２】
図１および図２を参照すると、作業台は、平面より見て、左右方向に長い方形状天板11と、天板11の右端部に、上端部がそれぞれ連結されている幅方向に間隔をおいた前後一対の右支柱12と、両右支柱12に、多段に渡し止められている４つの右踏さん13と、天板11の左端部に、上端部がそれぞれ連結されている幅方向に間隔をおいた前後一対の左支柱14と、両左支柱14に、多段に渡し止められている４つの左踏さん15と、両右支柱12を、天板11の底面に重なるようにそれぞれ折り畳むための前後一対の右折り畳み金具16と、両左支柱14を、折り畳まれた両右支柱12の下向き側面に重なるように折り畳むための前後一対の右折り畳み金具17と、両右支柱12の開き角度をそれぞれ規制するための前後一対の右開き止め金具18と、両右支柱12の開き角度をそれぞれ規制するための前後一対の左開き止め金具19とよりなる。
【００１３】
天板11は、アルミニウム板製方形平板状天板本体21と、天板本体21底面周縁部に固定されている横断面コ字状アルミニウム押出型材製方形状補強枠22とよりなる。
【００１４】
各支柱12、14は、横断面コ字状のアルミニウム押出型材製のものである。各踏さん13、15は、横断面方形状のアルミニウム押出型材製のものである。
【００１５】
各右折り畳み金具16は、右支柱12の折り畳み時の回転中心となる水平状右支点ピン31を有している。各左折り畳み金具17は、左支柱14の折り畳み時の回転中心となる水平状左支点ピン32を有している。右支点ピン31は、天板11底面に近接したレベルに位置させられている。左支点ピン32は、右支点ピン31のレベルよりも、下方レベルに位置させられている。
【００１６】
図３に詳細に示すように、各右開き止め金具18は、右天板側ロッド41および右支柱側ロッド42によって構成されている。右天板側ロッド41は、真っ直ぐのびた横断面コ字状アルミニウム押出型材製右天板側ロッド本体41Aよりなる。右支柱側ロッド42は、真っ直ぐのびた横断面コ字状アルミニウム押出型材製右支柱側ロッド本体42Aよりなる。
【００１７】
右天板側ロッド本体41Aおよび右支柱側ロッド本体42Aの対応する一端部同士は、右第１連結ピン51によって連結されている。右天板側ロッド本体41Aの他端部は、天板11の右端部から左端部寄りのところに、右第２連結ピン52によって連結されている。右支柱側ロッド本体42Aの他端部は、第２段目の右踏さん13に右第３連結ピン53によって連結されている。
【００１８】
右天板側ロッド本体41Aの、右第２連結ピン52中心を通る中心軸線C1および右支柱側ロッド本体42Aの、右第３連結ピン53中心を通る中心軸線C2の交差上に、右第１連結ピン51中心が位置させられている。
【００１９】
図４に示すように、右天板側ロッド本体41Aおよび右支柱側ロッド本体42Aは、開口同士を向き合わせて、双方が２つ折りとなった際は、右天板側ロッド本体41Aが右支柱側ロッド本体42Aの両側壁間に収容されるようになっている。
【００２０】
図５に詳細に示すように、各左開き止め金具19は、左天板側ロッド61および左支柱側ロッド62によって構成されている。左天板側ロッド61は、真っ直ぐのびた横断面コ字状アルミニウム押出型材製左天板側ロッド本体61Aと、左天板側ロッド本体61Aの一端部から左支柱側ロッド62側に突出させられた天板側ロッド耳61Bとよりなる。左支柱側ロッド62は、真っ直ぐのびた横断面コ字状アルミニウム押出型材製左支柱側ロッド本体62Aと、左支柱側ロッド本体62Aの一端部から左天板側ロッド61側に突出させられた支柱側ロッド耳62Bとよりなる。左支柱側ロッド本体62Aの両側壁の長さの中程には円弧状切欠63が形成されている。
【００２１】
左天板側ロッド本体61Aおよび左支柱側ロッド本体62Aの対応する一端部同士は、左第１連結ピン71によって連結されている。左天板側ロッド本体61Aの他端部は、天板11の左端部から右端部寄りのところに、左第２連結ピン72によって連結されている。左支柱側ロッド本体62Aの他端部は、第２段目の左踏さん15に左第３連結ピン73によって連結されている。
【００２２】
左天板側ロッド本体61Aの、左第２連結ピン72中心を通る中心軸線C3上および左支柱側ロッド本体62Aの、左第３連結ピン73中心を通る中心軸線C4上から、それぞれ所定距離Lを隔てたところに左第１連結ピン71中心が位置させられている。
【００２３】
図６に示すように、左天板側ロッド本体61Aおよび左支柱側ロッド本体62Aは、開口同士を向き合わせて、双方が２つ折りとなる。
【００２４】
図７に、左右の支柱12、14が折り畳まれた状態が示されている。右支点ピン31および左支点ピン32のレベル差によって、最初に、右支柱12が折り畳まれ、ついで、左支柱14の折り畳まれるようになっている。
【００２５】
右支柱12が折り畳まれて、右開き止め金具18の右天板側ロッド41および右支柱側ロッド42が２つ折りとなされる際に、双方の間にはこれらと干渉するものは何も無い。
【００２６】
一方、左支柱14が折り畳まれる際は、右支柱12は既に折り畳まれいて、天板11の底面に右支柱12が重ねられている。左支柱14が折り畳まれて、左開き止め金具19の左天板側ロッド61および左支柱側ロッド62が２つ折りとなされる際に、２つ折りとなった左天板側ロッド本体61Aが左支柱側ロッド本体62Aが、右支柱12の４段目の右踏さん13を挟むようになっている。２つ折りとなった左天板側ロッド本体61Aおよび左支柱側ロッド本体62A間には、図６に詳細に示すように、切欠63を含めた間隙81が生じるようになっており、この間隙81によって、２つ折りとなった左天板側ロッド本体61Aおよび左支柱側ロッド本体62Aと、４段目の右踏さん13との干渉が避けられ、左支柱14は支障無く、完全に左支柱12の上に重なるように折り畳まれる。
【産業上の利用可能性】
【００２７】
この発明による作業台は、開き止め金具の全長を長くすることができ、しかも、支柱を完全に折り畳むことを達成するのに適している。
【符号の説明】
【００２８】
11  天板
12  右支柱
13  右踏さん
14  左支柱
15  左踏さん
19  開き止め金具
61  天板側ロッド
62  支柱側ロッド
81  間隙
【図１】
0005486881.tif 000002
【図２】
0005486881.tif 000003
【図３】
0005486881.tif 000004
【図４】
0005486881.tif 000005
【図５】
0005486881.tif 000006
【図６】
0005486881.tif 000007
【図７】
0005486881.tif 000008